【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
第１のコンピューティング・デバイス側で、第２のコンピューティング・デバイスが前記第１のコンピューティング・デバイスから所定の距離の範囲内にあるか否かを判定することと、
前記第１のコンピューティング・デバイスが前記第２のコンピューティング・デバイスから前記所定の距離の範囲内にあるという判定に応答して、前記第１のコンピューティング・デバイス側で、前記第２のコンピューティング・デバイスとの近距離無線通信（ＮＦＣ）接続を確立することと、
前記ＮＦＣ接続により、前記第２のコンピューティング・デバイスとの無線テザリング接続を設定するための情報を送信することと、
前記ＮＦＣ接続により、前記無線テザリング接続が設定されたという確認を受信することと、
を含み、
前記第２のコンピューティング・デバイスとの無線テザリング接続をセットアップするための情報は、前記無線テザリング接続をセットアップするための要求、身分証明情報、又は前記第１のコンピューティング・デバイスのネットワーク・インターフェース・アドレスを含み、
前記ネットワーク・インターフェース・アドレスは、前記第１のコンピューティング・デバイスのネットワーク・インターフェースに割り当てられた固有ＩＤを含む、コンピュータで実行される通信方法。
【請求項２】
前記第１のコンピューティング・デバイスは、ラップトップ・コンピューティング・デバイスである、請求項１記載の通信方法。
【請求項３】
前記第２のコンピューティング・デバイスは、モバイル・デバイスである、請求項１記載の通信方法。
【請求項４】
前記第１のコンピューティング・デバイスが前記第２のコンピューティング・デバイスから前記所定の距離の範囲内にあるか否かを判定することは、前記第１のコンピューティング・デバイスが前記第２のコンピューティング・デバイスを物理的にタップしていることに応答することである、請求項１記載の通信方法。
【請求項５】
前記所定の距離が前記ＮＦＣ接続の通信範囲と一致する、請求項１記載の通信方法。
【請求項６】
前記身分証明情報は、ユーザ名及びパスワードを含む、請求項１記載の通信方法。
【請求項７】
前記身分証明情報は、加入者識別情報を含む、請求項１記載の通信方法。
【請求項８】
前記身分証明情報は、検証済み証明書を含む、請求項１記載の通信方法。
【請求項９】
前記無線テザリング接続により、インターネット上の１つ以上のウェブサイトにアクセスするために前記第１のコンピューティング・デバイス上で実行されるウェブ・ブラウザからデータを送信することを更に含む、請求項１記載の通信方法。
【請求項１０】
第１のコンピューティング・デバイス側で、第２のコンピューティング・デバイスが前記第１のコンピューティング・デバイスから所定の距離の範囲内にあるか否かを判定することと、
前記第１のコンピューティング・デバイスが前記第２のコンピューティング・デバイスから前記所定の距離の範囲内にあるという判定に応答して、前記第１のコンピューティング・デバイス側で、前記第２のコンピューティング・デバイスとの近距離無線通信（ＮＦＣ）接続を確立することと、
前記ＮＦＣ接続により、前記第２のコンピューティング・デバイスとの無線テザリング接続を設定するための情報を受信することと、
前記第１のコンピューティング・デバイス側で、前記第２のコンピューティング・デバイスとの前記無線テザリング接続をセットアップするための構成を設定することと、
前記ＮＦＣ接続により、前記無線テザリング接続が設定されたという確認を前記第２のコンピューティング・デバイスに送信することと、
を含み、
前記第１のコンピューティング・デバイス側で、前記無線テザリング接続をセットアップするための前記設定を実行することは、
前記第２のコンピューティング・デバイスとの前記無線テザリング接続を設定するための情報に基づいてインターネットにアクセスするためのホットスポット接続をセットアップすることと、
前記ホットスポット接続にアクセスするために限定的ネットワーク・インターフェース・アドレスのリストに前記第２のコンピューティング・デバイスのネットワーク・インターフェース・アドレスを追加することと、
を含む、コンピュータで実行される通信方法。
【請求項１１】
前記第１のコンピューティング・デバイスは、モバイル・デバイスである、請求項１０記載の通信方法。
【請求項１２】
前記第２のコンピューティング・デバイスは、ラップトップ・コンピューティング・デバイスである、請求項１０記載の通信方法。
【請求項１３】
前記無線テザリング接続により、インターネット上の１つ以上のウェブサイトにアクセスするために前記第２のコンピューティング・デバイス上で実行されるウェブ・ブラウザからデータを受信することを更に含む、請求項１０記載の通信方法。
【請求項１４】
メモリと、
１つ以上のプロセッサと、
メモリ内に格納され、前記１つ以上のプロセッサによって実行するために構成された１つ以上のモジュールであって、前記モジュールが、コンピューティング・デバイスが所定の距離の範囲内にあるか否かを判定し、前記コンピューティング・デバイスとの近距離無線通信（ＮＦＣ）接続を確立し、前記ＮＦＣ接続を確立することが、前記コンピューティング・デバイスが前記所定の距離の範囲内にあるという判定に応答するものであるように構成された近距離無線通信（ＮＦＣ）モジュールと、前記ＮＦＣ接続により、前記コンピューティング・デバイスとの無線テザリング接続を設定するための情報を送信し、前記ＮＦＣ接続により、前記無線テザリング接続が設定されたという確認を受信するように構成された無線テザリング・モジュールを含む１つ以上のモジュールと、
を含み、
前記ＮＦＣモジュールは、第２のコンピューティング・デバイスが所定の距離の範囲内にあるか否かを判定し、前記第２のコンピューティング・デバイスとの第２の近距離無線通信（ＮＦＣ）接続を確立し、前記ＮＦＣ接続を確立することは、前記第２のコンピューティング・デバイスが前記所定の距離の範囲内にあるという判定に応答するものであるようにさらに構成される、通信システム。
【請求項１５】
前記無線テザリング・モジュールが、前記無線テザリング接続により、インターネット上の１つ以上のウェブサイトにアクセスするためにウェブ・ブラウザからデータを送信するように更に構成される、請求項１４記載の通信システム。
【請求項１６】
前記無線テザリング・モジュールが、前記ＮＦＣ接続により、前記第２のコンピューティング・デバイスとの無線テザリング接続を設定するための情報を受信し、前記第２のコンピューティング・デバイスとの前記無線テザリング接続をセットアップするための設定を実行し、前記ＮＦＣ接続により、前記無線テザリング接続が設定されたという確認を前記第２のコンピューティング・デバイスに送信するように更に構成される、請求項１４記載の通信システム。
【請求項１７】
前記無線テザリング・モジュールが、前記無線テザリング接続により、インターネット上の１つ以上のウェブサイトにアクセスするために前記第２のコンピューティング・デバイス上で実行されるウェブ・ブラウザからデータを受信するように更に構成される、請求項１６記載の通信システム。
【請求項１８】
命令が格納された機械で実行された時に、
第１のコンピューティング・デバイス側で、第２のコンピューティング・デバイスが前記第１のコンピューティング・デバイスから所定の距離の範囲内にあるか否かを判定することと、
前記第１のコンピューティング・デバイスが前記第２のコンピューティング・デバイスから前記所定の距離の範囲内にあるという判定に応答して、前記第１のコンピューティング・デバイス側で、前記第２のコンピューティング・デバイスとの近距離無線通信（ＮＦＣ）接続を確立することと、
前記ＮＦＣ接続により、前記無線テザリング接続が設定されたという確認を受信することと、
前記無線テザリング接続により、インターネット上の１つ以上のウェブサイトにアクセスするためにウェブ・ブラウザからデータを送信することと、
を含む動作を前記機械に実行させる命令を含み、
前記第１のコンピューティング・デバイスが前記第２のコンピューティング・デバイスから前記所定の距離の範囲内にあるか否かを判定することは、前記第１のコンピューティング・デバイスが前記第２のコンピューティング・デバイスを物理的にタップしていることに応答することである、機械で読取り可能な記憶媒体。